(57)【要約】【課題】ダミーコネクタの誤挿入と挿入のし忘れを防止する【解決手段】雌雄の両コネクタ１０、５０は、電線が引き出されない雌雄の両ダミーコネクタ本体３０、７０と、両ダミーコネクタ本体３０、７０を収容可能な第２収容部２５及び第４収容部６１を有する雌雄の両ハウジング１１、５１とを備え、第２収容部２５及び第４収容部６１の後端開口がそれぞれ両ダミーコネクタ本体３０、７０を挿入可能な挿入口とされている。両ダミーコネクタ本体３０、７０には、この両ダミーコネクタ本体３０、７０が正逆反転した姿勢をとっている場合に挿入口の口縁と干渉して第２収容部２５及び第４収容部６１への挿入を規制する一方、両ダミーコネクタ本体３０、７０が正規の姿勢をとっている場合に第２収容部２５及び第４収容部６１への挿入を許容し、かつ自身は挿入口より外側に突出して配置される突部３７、７８が設けられている。【選択図】図１
2010027392.tif 000002
【特許請求の範囲】
【請求項１】
電線が引き出されないダミーコネクタ本体と、このダミーコネクタ本体を収容可能な収容部を有するケースとを備え、前記収容部の一端開口が前記ダミーコネクタ本体を挿入可能な挿入口とされているコネクタであって、
前記ダミーコネクタ本体には、このダミーコネクタ本体が正逆反転した姿勢をとっている場合に前記挿入口の口縁と干渉して前記ダミーコネクタ本体の前記収容部への挿入を規制する一方、前記ダミーコネクタ本体が正規の姿勢をとっている場合に前記ダミーコネクタ本体の前記収容部への挿入を許容し、かつ自身は前記挿入口より外側に突出して配置される突部が設けられていることを特徴とするコネクタ。
【請求項２】
前記ケースには、端子金具を収容可能であって前記端子金具に接続された電線が引き出されるハウジング領域が前記収容部と並んで設けられており、前記挿入口は、前記ハウジング領域における前記電線の引き出し面と同じ側に配置されている請求項１記載のコネクタ。
【請求項３】
前記突部の一端が指押し可能な平坦領域をもった平面部とされている請求項１又は２記載のコネクタ。
【請求項４】
前記ダミーコネクタ本体の外面には、このダミーコネクタ本体の前記収容部への挿入を案内する案内突部が設けられており、前記突部が前記案内突部の一端から延長して形成されている請求項１ないし３のいずれか１項記載のコネクタ。
【発明の詳細な説明】
【技術分野】
【０００１】
本発明は、コネクタに関する。
【背景技術】
【０００２】
従来より、ケースの収容部内に回路構成に関与しないダミーコネクタが挿入されるコネクタが知られている。例えば、特許文献１に記載のものは、収容部内にダミーコネクタ本体が挿入されることにより、収容部の内部空間がダミーコネクタ本体によって塞がれ、もって所定の防水性が確保されるようになっている。
【特許文献１】特開２００１−２６７００５公報
【発明の開示】
【発明が解決しようとする課題】
【０００３】
しかし、このようなダミーコネクタ本体からは電線が引き出されないため、前後方向（収容部への挿抜方向）の方向性を識別し難いという事情があり、収容部に対してダミーコネクタ本体が正逆（前後）反転した姿勢の状態で挿入されることがある。その場合、ダミーコネクタ本体は収容部の途中まで挿入されてしまうため、作業者が挿入作業を完了したと勘違いするおそれがある。  
また、こうした電線が引き出されないダミーコネクタ本体ではそもそも収容部への挿入を忘れてしまっていてもそれに気付かないおそれがある。
【０００４】
本発明は上記のような事情に基づいて完成されたものであって、ダミーコネクタの誤挿入と挿入のし忘れを防止することを目的とする。
【課題を解決するための手段】
【０００５】
上記の目的を達成するための手段として、請求項１の発明は、電線が引き出されないダミーコネクタ本体と、このダミーコネクタ本体を収容可能な収容部を有するケースとを備え、前記収容部の一端開口が前記ダミーコネクタ本体を挿入可能な挿入口とされているコネクタであって、前記ダミーコネクタ本体には、このダミーコネクタ本体が正逆反転した姿勢をとっている場合に前記挿入口の口縁と干渉して前記ダミーコネクタ本体の前記収容部への挿入を規制する一方、前記ダミーコネクタ本体が正規の姿勢をとっている場合に前記ダミーコネクタ本体の前記収容部への挿入を許容し、かつ自身は前記挿入口より外側に突出して配置される突部が設けられている構成としたところに特徴を有する。
【０００６】
請求項２の発明は、請求項１に記載のものにおいて、前記ケースには、端子金具を収容可能であって前記端子金具に接続された電線が引き出されるハウジング領域が前記収容部と並んで設けられており、前記挿入口は、前記ハウジング領域における前記電線の引き出し面と同じ側に配置されているところに特徴を有する。
【０００７】
請求項３の発明は、請求項１又は２に記載のものにおいて、前記突部の一端が指押し可能な平坦領域をもった平面部とされているところに特徴を有する。
【０００８】
請求項４の発明は、請求項１ないし３のいずれか１項に記載のものにおいて、前記ダミーコネクタ本体の外面には、このダミーコネクタ本体の前記収容部への挿入を案内する案内突部が設けられており、前記突部が前記案内突部の一端から延長して形成されているところに特徴を有する。
【発明の効果】
【０００９】
＜請求項１の発明＞
ダミーコネクタ本体が正規の姿勢をとっていない場合には、突部が収容部の挿入口の口縁と干渉してダミーコネクタ本体の収容部への挿入が規制されるから、ダミーコネクタ本体（ダミーコネクタ）の誤挿入が防止される。また、ダミーコネクタ本体が正規の姿勢をとっている場合には、突部が挿入口より外側に突出して配置されるから、その状態を視認又は触認することにより、ダミーコネクタ本体が収容部に正規挿入されていることがわかり、ダミーコネクタ本体（ダミーコネクタ）の挿入のし忘れが防止される。
【００１０】
＜請求項２の発明＞
収容部の挿入口がハウジング領域における電線の引き出し面と同じ側に配置されているため、挿入口の口縁から突出する突部と並んで電線が位置することとなり、電線の並び方向のデッドスペースが有効に活用される。また、電線によって突部の突出状態のみが際立つことはなく、突部が他の部品と干渉する等といった不具合も起こり難い。
【００１１】
＜請求項３の発明＞
突部の一端が指押し可能な平坦領域をもった平面部とされているため、平面部に指を宛がいながらダミーコネクタ本体を収容部に挿入することができ、作業性が良好になる。また、突部以外の部位に指押し用の平面部を設けるよりも構成が簡素化される。
【００１２】
＜請求項４の発明＞
案内突部によって突部が補強されるから、異物との干渉等に起因して突部が折損される事態が回避される。
【発明を実施するための最良の形態】
【００１３】
＜実施形態１＞
本発明の実施形態１を図１ないし図１７によって説明する。本発明のコネクタは、互いに嵌合可能な雌雄一対のコネクタ１０、５０からなる。雄側コネクタ１０は、雄側ハウジング１１、雄型端子金具１２、雄側ダミーコネクタ本体３０、雄側ハウジング部１３、レバー１４及びムービングプレート１５を備えている。雌側コネクタ５０は、雌側ハウジング５１、雌型端子金具５２、雌側ダミーコネクタ本体７０及び雌側ハウジング部５３を備えている。なお、以下の説明において前後方向については両コネクタ１０、５０の互いの嵌合面側を前方とする。
【００１４】
雄側ハウジング１１は合成樹脂製であって、図１に示すように、雄型端子金具１２を収容可能な角ブロック状の端子収容部１６と、端子収容部１６の前端周縁から前方へ突出する角筒状のフード部１７とを備えている。雄側ハウジング１１の下面には図示しない外部ブラケットに取り付けるための取付片１８が後方へ突出して設けられている。雄側ハウジング１１には外側から門型のレバー１４が跨嵌して装着されている。レバー１４は幅方向に延びる操作部１４Ａと操作部１４Ａの両端から平行に突出する一対のアーム部１４Ｂとからなり、図３に示すように、両アーム部１４Ｂには軸受孔１４Ｃが設けられている。雄側ハウジング１１には、フード部１７における端子収容部１６寄りの両側面に、両アーム部１４Ｂの軸受孔１４Ｃに挿着される支軸１９が突設されている。レバー１４は支軸１９を中心として初期位置と嵌合位置とに回動可能とされている。操作部１４Ａには撓み可能なロック部２０が設けられており、レバー１４が嵌合位置に達すると、ロック部２０が相手の雌側ハウジング５１に設けられたロック受部５５（後述する）を弾性的に係止して、両ハウジング１１、５１が嵌合状態にロックされるようになっている。
【００１５】
両アーム部１４Ｂの内面には、所定形状に延びて入り口が両アーム部１４Ｂの周縁に開口するカム溝１４Ｅが凹設されている。初期位置では、カム溝１４Ｅの入り口が前方を向いて開放される。フード部１７の両側壁には、図２に示すように、前後方向に延びてフード部１７の前端に開口する導入溝２１が初期位置においてカム溝１４Ｅの入り口と連通するように形成されている。また、両アーム部１４Ｂには、弾性係止片１４Ｆが切り欠いて形成されている。フード部１７の両側壁には弾性係止片１４Ｆを受ける係止受溝２２が導入溝２１と平行に延びてフード部１７の前端に開口して形成されており、初期位置では、弾性係止片１４Ｆが係止受溝２２の溝縁に弾性的に掛け止められて、レバー１４の嵌合位置への回動操作が規制されるようになっている。
【００１６】
フード部１７内には、ムービングプレート１５が嵌合して装着されている。ムービングプレート１５は端子収容部１６の前面と平行して同前面を覆うように配置されるプレート本体１５Ａを有している。プレート本体１５Ａには雄型端子金具１２のタブ１２Ａを位置決め状態で受ける位置決め孔１５Ｂが貫通して形成されている。かかるムービングプレート１５は、プレート本体１５Ａが端子収容部１６の前面から離れて位置して、タブ１２Ａの先端部が位置決め孔１５Ｂを貫通する前進位置と、プレート本体１５Ａが端子収容部１６の前面の近くに位置して、タブ１２Ａの根元部が位置決め孔１５Ｂを貫通する後退位置とに移動可能とされている。前進位置では、タブ１２Ａの先端部が位置決め孔１５Ｂを貫通することにより、タブ１２Ａが保護状態に置かれるようになっている。
【００１７】
端子収容部１６にはキャビティ１６Ａが前後に貫通して形成されている。キャビティ１６Ａは端子収容部１６の高さ方向の中段において上下２段に分かれて配置され、ここに後方から大型の雄型端子金具１２が挿入可能とされている。このうち、上段の雄型端子金具１２は、下段の雄型端子金具１２よりも大型とされ、相互の挿入姿勢を軸周りに略９０度ずらしつつキャビティ１６Ａ内に挿入されている。キャビティ１６Ａの内壁には、雄型端子金具１２のキャビティ１６Ａからの抜け止めをなすランス１６Ｂが撓み可能に設けられている。
【００１８】
端子収容部１６の高さ方向の下段には第１収容部２３が前後に貫通して形成されている。第１収容部２３には扁平な角ブロック状の雄側ハウジング部１３が収容されており、第１収容部２３の後端開口が雄側ハウジング部１３を挿入可能な挿入口とされている。雄側ハウジング部１３にはキャビティ１３Ａが前後に貫通して形成されている。キャビティ１３Ａは上下２段に分かれて配置され、ここに後方から小型の雄型端子金具１２が挿入可能とされている。キャビティ１３Ａの内壁には、ランス１３Ｂが撓み可能に設けられている。また、雄側ハウジング部１３の前端部にはフロントホルダ１３Ｄが装着され、雄側ハウジング部１３の中間部にはリテーナ１３Ｅが装着されている。雄側ハウジング１１の後端面は、図３に示すように、概ね略垂直に切り立って配置され、その中段から下段にかけて大型及び小型の各雄型端子金具１２に接続された複数の電線Ｗ１が引き出される電線引き出し面２４とされている。
【００１９】
端子収容部１６の高さ方向の上段には、第１収容部２３とほぼ同形状の第２収容部２５が前後に貫通して形成されている。第２収容部２５には、第１収容部２３と同様、雄側ハウジング部１３が収容可能とされているが、本実施形態ではここが空きの部分とされていて、回路構成に関与しない雄側ダミーコネクタ本体３０が収容されている。第２収容部２５の後端開口は雄側ダミーコネクタ本体３０を挿入可能な挿入口とされている。
【００２０】
雄側ダミーコネクタ本体３０は合成樹脂製であって、全体としてキャップ状をなし、幅方向に延出して第２収容部２５の前端開口を覆う前壁３１と、前壁３１の周縁から全周に亘って後方へ延出する扁平角筒状の周壁３２とを有している。図６に示すように、前壁３１の前面は閉止面とされており、前壁３１の中央部は一段前方へ突き出る形態の膨出部３３とされている。膨出部３３は後退位置におけるムービングプレート１５のプレート本体１５Ａに凹み形成された嵌合部１５Ｇ内に嵌合可能とされている。また、雄側ダミーコネクタ本体３０の内部には、図４に示すように、周壁３２の上下の内面同士をつなげる縦壁３４が幅方向に間隔をあけて複数架設されている。
【００２１】
周壁３２の両側外面には、図８に示すように、雄側ダミーコネクタ本体３０の第２収容部２５への挿入動作を案内するための案内突部３５が前後方向に延出して形成されている。案内突部３５は、前後方向に細長いリブ状をなし、上下で対をなしつつ互いに平行に配置されている。両案内突部３５の前端側における相対向する内面には、上下一対の係止部３６が突設されており、両係止部３６間に隙間が保有されている。一方、第２収容部２５の内壁の両側面には、図５に示すように、幅方向に撓み可能な係止受部２６が突設されており、雄側ダミーコネクタ本体３０が収容部内に正規深さで挿入されると、係止受部２６に係止部３６が弾性的に係止されて、雄側ダミーコネクタ本体３０の第２収容部２５からの抜け止めがなされるようになっている。係止受部２６の高さ方向の中央部には規制突起２６Ａが形成されており、規制突起２６Ａが両係止部３６間の隙間に進入することで、両係止部３６の高さ方向の遊動が規制されて、両者の係止状態の安定性が確保されるようになっている。また、第２収容部２５内における係止受部２６を挟んだ両側は、案内突部３５が摺動可能な上下一対の案内溝２７とされている。なお、これら係止受部２６及び案内溝２７の構造は、第１収容部２３にも同様に形成されている。また、ムービングプレート１５のプレート本体１５Ａには、図２に示すように、係止受部２６と対向する位置に窓孔１５Ｅが開設されており、窓孔１５Ｅを通して係止受部２６による係止状態を解除可能とされている。
【００２２】
また、周壁３２の両側外面の後端部には、図６ないし図８に示すように、板状をなす一対の突部３７が側方及び後方に張り出して設けられている。突部３７は、下側の案内突部３５の後端に一体に連なりながら雄側ダミーコネクタ本体３０の後端より後方へいったん突出したあと案内突部３５をその延び方向と直交する下向きに延長させた形態をなしている。詳細には突部３７は、その側方への突出端が案内突部３５の突出端と一致するとともに、その下端が周壁３２の下側外面に一致し、かつ下端と突出端との間が斜め方向に角落ちされたテーパ縁によってつながる形態をなしている。突部３７の後端面は、前端面とともに略垂直に切り立って配置され、指押しされるに適当な大きさの平面状をなす平面部３７Ａとされている。
【００２３】
ここで、雄側ダミーコネクタ本体３０が正逆（前後）反転した姿勢をとって第２収容部２５に挿入されようとすると、突部３７が第２収容部２５の挿入口の口縁と干渉して、雄側ダミーコネクタ本体３０の挿入動作が規制される。一方、雄側ダミーコネクタ本体３０が正規の姿勢をとって第２収容部２５に挿入されると、雄側ダミーコネクタ本体３０のうちの突部３７を除く部分が第２収容部２５に正規深さで挿入されるとともに、突部３７が第２収容部２５に挿入されることなく挿入口より外側に露出して配置されるようになっている。
【００２４】
続いて雌側ハウジング５１について説明すると、雌側ハウジング５１は同じく合成樹脂製であって、図９に示すように、角ブロック状をなすハウジング本体５４を備えて構成されている。ハウジング本体５４の上面の後端には後方へ向けて突出するロック受部５５が設けられている。両ハウジング１１、５１が正規嵌合されると、ハウジング本体５４はロック受部５５を除いてフード部１７内に嵌合され、さらにロック受部５５は嵌合位置に達したレバー１４のロック部２０に弾性係止されるようになっている。
【００２５】
ハウジング本体５４の両側面には、図１１に示すように、高さ方向の中段に、高さ方向の上段及び下段に比べて幅寸法を狭めた形態の括れ部５６が設けられている。括れ部５６の底面には一対のカムフォロア５７が側方に突出して形成されている。カムフォロア５７は、両ハウジング１１、５１の嵌合過程で導入溝２１を介してカム溝１４Ｅの入り口に進入し、レバー１４の回動に伴ってカム溝１４Ｅ内を移動してカム作用を発揮し、両ハウジング１１、５１を低操作力で嵌合する役割をはたす。なお、カムフォロア５７はムービングプレート１５とも係合可能とされ、レバー１４の回動操作に追従してムービングプレート１５が後退位置と前進位置とに移動可能とされている。
【００２６】
ハウジング本体５４の両側面には、高さ方向の下段に、両ハウジング１１、５１の嵌合過程でレバー１４の弾性係止片１４Ｆと干渉して弾性係止片１４Ｆと係止受溝２２との係止状態を解除する解除部５８が突設されている。解除部５８は、図１０に示すように、前後方向に細長く延びるリブ状の形態をなしている。  
ハウジング本体５４の高さ方向の中段にはキャビティ５４Ａが前後に貫通して形成されている。キャビティ５４Ａには後方から大型の雌型端子金具５２が挿入可能とされている。
【００２７】
また、ハウジング本体５４の高さ方向の下段には第３収容部５９が前後に貫通して形成されている。第３収容部５９には雌側ハウジング部５３が収容可能とされており、第３収容部５９の後端開口が雌側ハウジング部５３を挿入可能な挿入口とされている。雌側ハウジング部５３には上下２段のキャビティ５３Ａが前後に貫通して形成され、各キャビティ５３Ａに後方から小型の雌型端子金具５２が挿入可能とされている。ハウジング本体５４の後端面は、概ね略垂直に切り立って配置され、その中段から下段にかけて大型及び小型の雌型端子金具５２に接続された複数の電線Ｗ２が引き出される電線引き出し面６０とされている。
【００２８】
ハウジング本体５４の高さ方向の上段には、第３収容部５９とほぼ同形状の第４収容部６１が前後に貫通して形成されている。本実施形態においては、第４収容部６１に雌側ダミーコネクタ本体７０が収容可能とされ、第４収容部６１の後端開口が雌側ダミーコネクタ本体７０を挿入可能な挿入口とされている。第４収容部６１の内壁及び第３収容部５９の内壁には、それぞれ雌側ダミーコネクタ本体７０及び雌側ハウジング部５３の前止まりをなす段部６２が設けられている。段部６２内には、正規挿入された雌側ダミーコネクタ本体７０の膨出部７４が嵌合可能とされている。その他、ハウジング本体５４の構造は端子収容部１６の構造と実質的に同じであり、雌側ハウジング部５３の構造も雄側ハウジング部１３の構造と実質的に同じである。特に、第３収容部５９及び第４収容部６１には、図１４に示すように、上記第１収容部２３及び第２収容部２５における係止受部２６及び規制突起２６Ａと同形状をなす係止突部６６及び規制突起６６Ａが形成されている。
【００２９】
雌側ダミーコネクタ本体７０は、雄側ダミーコネクタ本体３０と同様、合成樹脂製であって全体としてキャップ状をなし、幅方向に延出して第４収容部６１の前端開口を覆う前壁７１と、前壁７１の周縁から全周に亘って後方へ延出する周壁７２とを有している。前壁７１には、図１５に示すように、タブ挿入口７３が開口して形成されており、仮に、第２収容部２５に雄側ハウジング部１３が収容された場合に、雄型端子金具１２のタブ１２Ａがタブ挿入口７３に挿入されて逃されるようになっている。その他、雌側ダミーコネクタ本体７０の構造は、雄側ダミーコネクタ本体３０の構造と実質的に同じであり、雄側ダミーコネクタ本体３０と同形状をなす、膨出部７４、縦壁７５、案内突部７６、係止部７７、突部７８、及び突部７８の後端面を構成する平面部７８Ａを有している。
【００３０】
もっとも、雌側ダミーコネクタ本体７０には案内突部７６とは別に案内リブ７９が設けられ、第４収容部６１には案内リブ７９を受ける案内リブ受部６８が設けられており、この点は雄側ダミーコネクタ本体３０及び第２収容部２５とは異なっている。案内リブ７９は周壁７２の下側外面において幅方向に対をなしつつ前後方向に延出して形成され、案内リブ受部６８は第４収容部６１の内壁の下面において同じく幅方向に対をなしつつ前後方向に延出して形成されている。
【００３１】
次に本実施形態の作用を説明する。  
両ハウジング１１、５１の嵌合に先立ち、まず雄側ハウジング１１のキャビティ１６Ａに大型の雄型端子金具１２を挿入するとともに、雄側ハウジング１１の第１収容部２３に小型の雄型端子金具１２を収容させた雄側ハウジング部１３を挿入し、かつ雄側ハウジング１１の第２収容部２５に雄側ダミーコネクタ本体３０を挿入する。また、雌側ハウジング５１のキャビティ５４Ａに大型の雌型端子金具５２を挿入するとともに、雌側ハウジング５１の第３収容部５９に小型の雌型端子金具５２を収容させた雌側ハウジング部５３を挿入し、かつ雌側ハウジング５１の第４収容部６１に雌側ダミーコネクタ本体７０を挿入する。
【００３２】
雄側ダミーコネクタ本体３０の第２収容部２５への挿入にあたり、雄側ダミーコネクタ本体３０が正規の挿入姿勢をとっていれば、雄側ダミーコネクタ本体３０は、膨出部３３を先頭にして挿入口から第２収容部２５内に進入し、案内突部３５が案内溝２７内を摺動することによって案内されつつ正規の挿入位置へと円滑に至る。正規の挿入位置では、係止部３６が係止受部２６を弾性係止することによって雄側ダミーコネクタ本体３０の後方への抜け止めがなされる。このとき、雄側ハウジング１１の電線引き出し面２４には、図１及び図４に示すように、雄型端子金具１２に接続された電線Ｗ１とともに雄側ダミーコネクタ本体３０の突部３７が挿入口より外側に突出状態で配置されることとなる。したがって、この状態を視認または触認することにより、雄側ダミーコネクタ本体３０が正規の挿入位置に至ったことを知ることができる。また、突部３７が第２収容部２５の挿入口の口縁に突き当たることにより、雄側ダミーコネクタ本体３０の前止まりにもなる。なお、雌側ダミーコネクタ本体７０の第４収容部６１への挿入動作及び装着態様も雄側ダミーコネクタ本体３０の場合とほぼ同様である。また、雌雄の両ダミーコネクタ本体３０、７０の挿入動作は、平面部３７Ａ、７８Ａに指を宛がいながら突部３７、７８を前方へ押し込むことによって円滑に行うことができる。
【００３３】
続いて、レバー１４を初期位置にセットした状態で両ハウジング１１、５１を浅く嵌合させる。すると、カムフォロア５７がカム溝１４Ｅの入り口に進入し、解除部５８によって弾性係止片１４Ｆによる係止状態が解除されて、レバー１４の嵌合位置への回動操作が許容される。そこでレバー１４を嵌合位置側へ向けて図示反時計周りに回動させると、カムフォロア５７がカム溝１４Ｅに沿って移動するとともに、ムービングプレート１５が後退位置へ向けて移動し、かつ雄型端子金具１２のタブ１２Ａが雌型端子金具５２内に進入する。両ハウジング１１、５１が正規嵌合されると、レバー１４のロック部２０がロック受部５５を弾性係止してレバー１４の回動操作が規制されるとともに両ハウジング１１、５１が離脱規制状態に保持され、かつ雌雄の両端子金具１２、５２が導通可能に接続される。このとき、雌雄の両ダミーコネクタ本体３０、７０はムービングプレート１５のプレート本体１５Ａを介して互いに対面位置することとなる。
【００３４】
ところで、雄側ダミーコネクタ本体３０の第２収容部２５への挿入にあたり、雄側ダミーコネクタ本体３０が正逆（前後）反転した挿入姿勢をとっていると、図５に示すように、突部３７が挿入口の口縁における下側２角に突き当たり、雄側ダミーコネクタ本体３０は第２収容部２５に全く挿入されることはない。雌側ダミーコネクタ本体７０についても同様であり、雌側ダミーコネクタ本体７０が正逆（前後）反転した挿入姿勢をとっていると、図１４に示すように、突部７８が第４収容部６１の挿入口の口縁における下側２角に突き当たり、雌側ダミーコネクタ本体７０は第４収容部６１に全く挿入されることはない。
【００３５】
以上説明したように本実施形態によれば、ダミーコネクタ本体３０、７０が正規の挿入姿勢をとっていない場合に、突部３７、７８が収容部（第２収容部２５又は第４収容部６１）の挿入口の口縁と干渉してその挿入動作が規制されるから、ダミーコネクタ本体３０、７０（ダミーコネクタ）の誤挿入が防止される。この場合、収容部（第２収容部２５又は第４収容部６１）内に突部３７、７８が進入しないため、収容部（第２収容部２５又は第４収容部６１）に突部３７、７８の逃がし構造を設ける必要がなく、構成の簡素化を図れるとともに、収容部（第２収容部２５又は第４収容部６１）の大型化が回避される。また、ダミーコネクタ本体３０、７０が正規の姿勢をとっている場合には、突部３７、７８が挿入口より外側に突出して配置されるから、その状態を視認又は触認することにより、ダミーコネクタ本体３０、７０が収容部（第２収容部２５又は第４収容部６１）に正規挿入されていることがわかり、ダミーコネクタ本体３０、７０（ダミーコネクタ）の挿入のし忘れが防止される。
【００３６】
また、収容部（第２収容部２５又は第４収容部６１）の挿入口が雌雄の両ハウジング１１、５１における電線引き出し面２４、６０と同じ側に配置されているため、挿入口の口縁から突出する突部３７、７８と並んで電線Ｗ１、Ｗ２が位置することとなり、電線Ｗ１、Ｗ２の並び方向のデッドスペースが有効に活用される。また、電線Ｗ１、Ｗ２によって突部３７、７８の突出状態のみが際立つことはなく、突部３７、７８が他の部品と干渉する等といった不具合も起こり難い。
【００３７】
さらに、突部３７、７８の後端面が指押し可能な平坦領域をもった平面部３７Ａ、７８Ａとされているため、平面部３７Ａ、７８Ａに指を宛がいながらダミーコネクタ本体３０、７０を収容部（第２収容部２５又は第４収容部６１）に挿入することができ、作業性が良好になる。また、突部３７、７８以外の部位に指押し用の平面部３７Ａ、７８Ａを設けるよりも構成が簡素化される。
【００３８】
さらにまた、突部３７、７８が案内突部３５、７６の後端に一体に連なり、案内突部３５、７６によって突部３７、７８が補強されるから、異物との干渉等に起因して突部３７、７８が折損される事態が回避される。
【００３９】
＜他の実施形態＞
本発明は上記記述及び図面によって説明した実施形態に限定されるものではなく、例えば次のような実施形態も本発明の技術的範囲に含まれる。  
（１）ダミーコネクタ本体を収容可能な収容部は、端子金具を収容しない単なるケースに形成されていてもよい。  
（２）第１収容部又は第３収容部に、ハウジング部に代わってダミーコネクタ本体が挿入されてもよい。  
（３）案内突部と突部とは互いに切り離されていてもよい。
【図面の簡単な説明】
【００４０】
【図１】本発明の実施形態１において、雄側コネクタの側断面図である。
【図２】雄側コネクタの正面図である。
【図３】雄側コネクタの側面図である。
【図４】雄側ダミーコネクタ本体が第２収容部に正規挿入された状態を示す要部拡大背面図である。
【図５】雄側ダミーコネクタ本体が正逆反転した姿勢をとって第２収容部への挿入動作が規制される状態を示す要部拡大背面図である。
【図６】雄側ダミーコネクタ本体の正面図である。
【図７】雄側ダミーコネクタ本体の底面図である。
【図８】雄側ダミーコネクタ本体の側面図である。
【図９】雌側コネクタの側断面図である。
【図１０】雌側コネクタの側面図である。
【図１１】雌側コネクタの正面図である。
【図１２】雌側コネクタの背面図である。
【図１３】雌側ダミーコネクタ本体が正逆反転した姿勢をとって第４収容部への挿入動作が規制される状態を示す背面図である。
【図１４】雌側ダミーコネクタ本体が正逆反転した姿勢をとって第４収容部への挿入動作が規制される状態を示す側断面図である。
【図１５】雌側ダミーコネクタ本体の正面図である。
【図１６】雌側ダミーコネクタ本体の底面図である。
【図１７】雌側ダミーコネクタ本体の側面図である。
【符号の説明】
【００４１】
１０…雄側コネクタ
１１…雄側ハウジング（ケース）
１２…雌型端子金具
２５…第２収容部（収容部）
３０…雄側ダミーコネクタ本体（ダミーコネクタ本体、ダミーコネクタ）
３５、７６…案内突部
３７、７８…突部
３７Ａ、７８Ａ…平面図
５０…雌側コネクタ
５１…雄側ハウジング（ケース）
５２…雄型端子金具
６１…第４収容部（収容部）
７０…雌側ダミーコネクタ本体（ダミーコネクタ本体、ダミーコネクタ）
Ｗ１、Ｗ２…電線
【図１】
2010027392.tif 000003
【図２】
2010027392.tif 000004
【図３】
2010027392.tif 000005
【図４】
2010027392.tif 000006
【図５】
2010027392.tif 000007
【図６】
2010027392.tif 000008
【図７】
2010027392.tif 000009
【図８】
2010027392.tif 000010
【図９】
2010027392.tif 000011
【図１０】
2010027392.tif 000012
【図１１】
2010027392.tif 000013
【図１２】
2010027392.tif 000014
【図１３】
2010027392.tif 000015
【図１４】
2010027392.tif 000016
【図１５】
2010027392.tif 000017
【図１６】
2010027392.tif 000018
【図１７】
2010027392.tif 000019